(57)【要約】【課題】処理負荷及び通信トラフィックを削減し、ＤＲ要求に対する効率を向上するゲートウェイ装置、デマンドレスポンスシステム及びゲートウェイ装置のプログラムを提供する。【解決手段】要求対象候補と、要求調整電力量と、複数の機器群のうち制御要求の対象となる機器群である要求対象及び要求対象への制御コマンドからなる少なくとも１つの要求情報とが、それぞれ互いに関連付けられた複数の要求パターンを、所定の優先順位毎に予め記録する戦略テーブル２４３を記憶する記憶部２４と、戦略テーブル２４３において、デマンドレスポンス要求に指定された要求調整電力量及び要求対象候補に整合する要求パターンのうち、優先順位が最上位の要求パターンを特定し、特定した要求パターンから抽出される要求情報毎に、要求情報を含む制御要求を生成する変換処理部２３１とを備える。【選択図】図１
2016192872.tif 000002
【特許請求の範囲】
【請求項１】
アグリゲータから送信される、電力量の調整を要求するデマンドレスポンス要求に応じて、機器の制御を要求する制御要求を複数の機器群の少なくともいずれかに送信するゲートウェイ装置であって、
調整を要求する電力量を示す要求調整電力量及び前記複数の機器群のうち前記制御要求の対象となり得る機器群である要求対象候補が指定された前記デマンドレスポンス要求を、第１プロトコルにより前記アグリゲータから受信する第１通信部と、
前記要求対象候補と、前記要求調整電力量と、前記複数の機器群のうち前記制御要求の対象となる機器群である要求対象及び前記要求対象への制御コマンドからなる少なくとも１つの要求情報とが、それぞれ互いに関連付けられた複数の要求パターンを、所定の優先順位毎に予め記録する戦略テーブルを記憶する記憶部と、
前記戦略テーブルにおいて、前記第１通信部により受信された前記デマンドレスポンス要求に指定された前記要求調整電力量及び前記要求対象候補に整合する前記要求パターンのうち、前記優先順位が最上位の前記要求パターンを特定し、特定した前記要求パターンから抽出される要求情報毎に、前記要求情報を含む前記制御要求を生成する変換処理部と、
前記変換処理部により生成された前記制御要求を、前記第１プロトコルと異なる第２プロトコルにより、前記制御要求に含まれる前記要求情報が示す前記要求対象に送信し、前記制御要求に対する応答を前記要求対象から受信する第２通信部と、
前記第２通信部により受信された前記要求対象からの応答に基づいて、前記戦略テーブルの、前記変換処理部により特定された要求パターンの優先順位を変更する学習処理部と
を備えることを特徴とするゲートウェイ装置。
【請求項２】
前記学習処理部は、前記要求対象からの過去の応答に基づいて、前記制御要求に対する成功率を前記機器群毎に算出し、前記成功率に基づいて、前記戦略テーブルの優先順位を変更することを特徴とする請求項１に記載のゲートウェイ装置。
【請求項３】
前記学習処理部は、前記成功率に基づいて、前記戦略テーブルの前記要求パターンを削除することを特徴とする請求項２に記載のゲートウェイ装置。
【請求項４】
前記第１通信部は、時間的条件が指定された前記デマンドレスポンス要求を受信し、
前記記憶部は、時間的条件毎の複数の戦略テーブルを記憶し、
前記変換処理部は、前記記憶部に記憶された複数の戦略テーブルのうち、前記デマンドレスポンス要求に指定された時間的条件に合致する戦略テーブルから、前記要求パターンを特定することを特徴とする請求項１〜３のいずれか１項に記載のゲートウェイ装置。
【請求項５】
請求項１〜４のいずれか１項に記載のゲートウェイ装置と、アグリゲータと、複数の機器群とを備えることを特徴とするデマンドレスポンスシステム。
【請求項６】
アグリゲータから送信される、電力量の調整を要求するデマンドレスポンス要求に応じて、機器の制御を要求する制御要求を複数の機器群の少なくともいずれかに送信するコンピュータを有するゲートウェイ装置のプログラムであって、
前記コンピュータを、
調整を要求する電力量を示す要求調整電力量及び前記複数の機器群のうち前記制御要求の対象となり得る機器群である要求対象候補が指定された前記デマンドレスポンス要求を、第１プロトコルにより前記アグリゲータから受信する第１通信部と、
前記要求対象候補と、前記要求調整電力量と、前記複数の機器群のうち前記制御要求の対象となる機器群である要求対象及び前記要求対象への制御コマンドからなる少なくとも１つの要求情報とが、それぞれ互いに関連付けられた複数の要求パターンを、所定の優先順位毎に予め記録する戦略テーブルを記憶する記憶部と、
前記戦略テーブルにおいて、前記第１通信部により受信された前記デマンドレスポンス要求に指定された前記要求調整電力量及び前記要求対象候補に整合する前記要求パターンのうち、前記優先順位が最上位の前記要求パターンを特定し、特定した前記要求パターンから抽出される要求情報毎に、前記要求情報を含む前記制御要求を生成する変換処理部と、
前記変換処理部により生成された前記制御要求を、前記第１プロトコルと異なる第２プロトコルにより、前記制御要求に含まれる前記要求情報が示す前記要求対象に送信し、前記制御要求に対する応答を前記要求対象から受信する第２通信部と、
前記第２通信部により受信された前記要求対象からの応答に基づいて、前記戦略テーブルの、前記変換処理部により特定された要求パターンの優先順位を変更する学習処理部
として機能させることを特徴とするゲートウェイ装置のプログラム。
【発明の詳細な説明】
【技術分野】
【０００１】
本発明は、ゲートウェイ装置、デマンドレスポンスシステム及びゲートウェイ装置のプログラムに関する。
【背景技術】
【０００２】
需要家が電力供給側の要求に応じて、使用電力量又は発電電力量を調整することにより、電力の安定供給を図る、所謂デマンドレスポンス（ＤＲ）が知られている。一般的にＤＲにおいて、電力会社やアグリゲータと需要家との間には、通信を中継するゲートウェイ装置が存在する（特許文献１参照）。このようなゲートウェイ装置は、供給側から送信されるＤＲ要求に応じて、所定の需要家に対する制御要求を、ＤＲ要求と異なる通信プロトコルで送信する。
【先行技術文献】
【特許文献】
【０００３】
【特許文献１】特開２００２−１０５３２号公報
【発明の概要】
【発明が解決しようとする課題】
【０００４】
しかしながら、特許文献１に記載の技術は、制御要求の送信先となる各需要家の増加に伴い、プロトコル変換に関する処理負荷及びネットワークにおける通信トラフィックが単純に増大する等、ＤＲ要求に対する効率が悪化する可能性がある。
【０００５】
本発明は、上記問題点を鑑み、処理負荷及び通信トラフィックを削減し、ＤＲ要求に対する効率を向上することができるゲートウェイ装置、デマンドレスポンスシステム及びゲートウェイ装置のプログラムを提供することを目的とする。
【課題を解決するための手段】
【０００６】
上記目的を達成するために、本発明の第１の態様は、アグリゲータから送信される、電力量の調整を要求するデマンドレスポンス要求に応じて、機器の制御を要求する制御要求を複数の機器群の少なくともいずれかに送信するゲートウェイ装置であることを要旨とし、調整を要求する電力量を示す要求調整電力量及び複数の機器群のうち制御要求の対象となり得る機器群である要求対象候補が指定されたデマンドレスポンス要求を、第１プロトコルによりアグリゲータから受信する第１通信部と、要求対象候補と、要求調整電力量と、複数の機器群のうち制御要求の対象となる機器群である要求対象及び要求対象への制御コマンドからなる少なくとも１つの要求情報とが、それぞれ互いに関連付けられた複数の要求パターンを、所定の優先順位毎に予め記録する戦略テーブルを記憶する記憶部と、戦略テーブルにおいて、第１通信部により受信されたデマンドレスポンス要求に指定された要求調整電力量及び要求対象候補に整合する要求パターンのうち、優先順位が最上位の要求パターンを特定し、特定した要求パターンから抽出される要求情報毎に、要求情報を含む制御要求を生成する変換処理部と、変換処理部により生成された制御要求を、第１プロトコルと異なる第２プロトコルにより、制御要求に含まれる要求情報が示す要求対象に送信し、制御要求に対する応答を要求対象から受信する第２通信部と、第２通信部により受信された要求対象からの応答に基づいて、戦略テーブルの、変換処理部により特定された要求パターンの優先順位を変更する学習処理部とを備えることを特徴とする。
【０００７】
本発明の第２の態様は、アグリゲータから送信される、電力量の調整を要求するデマンドレスポンス要求に応じて、機器の制御を要求する制御要求を複数の機器群の少なくともいずれかに送信するコンピュータを有するゲートウェイ装置のプログラムであって、コンピュータを、調整を要求する電力量を示す要求調整電力量及び複数の機器群のうち制御要求の対象となり得る機器群である要求対象候補が指定されたデマンドレスポンス要求を、第１プロトコルによりアグリゲータから受信する第１通信部と、要求対象候補と、要求調整電力量と、複数の機器群のうち制御要求の対象となる機器群である要求対象及び要求対象への制御コマンドからなる少なくとも１つの要求情報とが、それぞれ互いに関連付けられた複数の要求パターンを、所定の優先順位毎に予め記録する戦略テーブルを記憶する記憶部と、戦略テーブルにおいて、第１通信部により受信されたデマンドレスポンス要求に指定された要求調整電力量及び要求対象候補に整合する要求パターンのうち、優先順位が最上位の要求パターンを特定し、特定した要求パターンから抽出される要求情報毎に、要求情報を含む制御要求を生成する変換処理部と、変換処理部により生成された制御要求を、第１プロトコルと異なる第２プロトコルにより、制御要求に含まれる要求情報が示す要求対象に送信し、制御要求に対する応答を要求対象から受信する第２通信部と、第２通信部により受信された要求対象からの応答に基づいて、戦略テーブルの、変換処理部により特定された要求パターンの優先順位を変更する学習処理部として機能させることを特徴とするゲートウェイ装置のプログラム。
【発明の効果】
【０００８】
本発明によれば、戦略を導入することにより、処理負荷及び通信トラフィックを削減し、ＤＲ要求に対する効率を向上することができるゲートウェイ装置、デマンドレスポンスシステム及びプログラムを提供することができる。
【図面の簡単な説明】
【０００９】
【図１】本発明の実施の形態に係るデマンドレスポンスシステムの基本的な構成を説明するブロック図である。
【図２】本発明の実施の形態に係るデマンドレスポンスシステムに用いるメッセージテーブルを図示した一例である。
【図３】本発明の実施の形態に係るデマンドレスポンスシステムに用いるタスクテーブルを図示した一例である。
【図４】本発明の実施の形態に係るデマンドレスポンスシステムに用いる戦略テーブルを図示した一例である。
【図５】本発明の実施の形態に係るデマンドレスポンスシステムの動作を説明するフローチャートである。
【図６】本発明の実施の形態に係るデマンドレスポンスシステムの動作を説明するシーケンス図である。
【図７】本発明の実施の形態に係るデマンドレスポンスシステムが備える機器群の構成を図示した一例である。
【図８】本発明の実施の形態に係るデマンドレスポンスシステムに用いる戦略テーブルを図示した一例である。
【図９】本発明の実施の形態に係るデマンドレスポンスシステムに用いる戦略テーブルを図示した一例である。
【図１０】本発明の実施の形態に係るデマンドレスポンスシステムに用いる戦略テーブルを図示した一例である。
【発明を実施するための形態】
【００１０】
次に、図面を参照して、実施の形態を説明する。以下の図面の記載において、同一又は類似の部分には同一又は類似の符号を付し、重複する説明を省略している。
【００１１】
（デマンドレスポンスシステム）
本実施の形態に係るデマンドレスポンスシステムは、図１に示すように、アグリゲータ１と、ゲートウェイ装置２と、それぞれ電力需要者である複数の機器群３と、電力供給者である電力会社４とを備える。複数の機器群３は、図示を省略した電力系統を介して、電力会社４からそれぞれ電力を供給される。
【００１２】
電力会社４は、管理装置４１を備える。管理装置４１は、電力会社４の電力供給量と電力需要者の電力需要量とバランスを監視する。管理装置４１は、電力需要量が相対的に増加して電力供給量との一定のバランスが保たれなくなることが見込まれる場合に、アグリゲータ１に、調整を要求する電力量及び期間を含む電力量調整要求を送信する。管理装置４１は、例えば、ｏｐｅｎＡＤＲ（Automated Demand Response）等の通信プロトコルによりアグリゲータ１と通信可能に接続される。
【００１３】
ここで、調整を要求する電力量には、使用電力量及び発電電力量がある。使用電力量の調整は、使用電力量の削減及び増加がある。発電電力量の調整は、発電電力量の削減及び増加がある。すなわち、本実施の形態において、「電力量の調整」とは、使用電力量の削減、使用電力量の増加、発電電力量の削減及び発電電力量の増加の少なくともいずれかである。
【００１４】
アグリゲータ１は、外部と通信する通信部１１と、処理部１２と、記憶部１３とを備えるコンピュータである。アグリゲータ１は、電力会社４とゲートウェイ装置２との間に位置する。通信部１１は、管理装置４１及びゲートウェイ装置２と通信する。通信部１１が管理装置４１から電力量調整要求を受信すると、処理部１２は、下位に電力需要者を有するゲートウェイ装置２に対して電力量の調整を要求するデマンドレスポンス（ＤＲ）要求を生成し、通信部１１を介してゲートウェイ装置２に送信する。通信部１１は、ゲートウェイ装置２に通信可能に接続される。
【００１５】
記憶部１３は、複数の機器群３の各識別子Ｂ１，Ｂ２，…，Ｂｎ、電気使用量等の情報を予め記憶する。処理部１２は、電力会社４からの電力量調整要求に応じて、調整を要求する電力量を示す要求調整電力量、複数の機器群３のうち制御要求の対象となり得る機器群３である要求対象候補及び要求期間（時間的条件）等が指定されたＤＲ要求を生成する。通信部１１は、処理部１２が生成したＤＲ要求を、第１プロトコルによりゲートウェイ装置２に送信する。第１プロトコルは、例えば、ＯｐｅｎＡＤＲ等の通信プロトコルである。
【００１６】
ゲートウェイ装置２は、第１通信部２１と、第２通信部２２と、処理部２３と、記憶部２４とを備えるコンピュータである。第１通信部２１は、要求調整電力量、要求対象候補及び要求期間等が指定されたＤＲ要求を、第１プロトコルによりアグリゲータ１から受信する。第１通信部２１は、アグリゲータ１に通信可能に接続される。
【００１７】
処理部２３は、変換処理部２３１と、学習処理部２３２と、条件判断部２３３とを有する。処理部２３は、例えば、中央演算処理装置（ＣＰＵ）からなる。処理部２３が有する各部の表示は、論理構造としての表示であり、それぞれ、別個のハードウェアから構成されてもよく、一体のハードウェアから構成されてもよい。
【００１８】
変換処理部２３１は、第１通信部２１により受信された第１プロトコルのＤＲ要求に基づいて、複数の機器群３に対する第２プロトコルの制御要求を生成することにより、第１プロトコルの通信を、第１プロトコルと異なる第２プロトコルの通信に変換する。第２プロトコルは、例えば、ＳＥＰ（Smart Energy Profile）、ＥＣＨＯＮＥＴＬｉｔｅ、ＢＡＣｎｅｔ、ＩＥＥＥ１８８８／ＦＩＡＰ（Facility Information Access Protocol）等を採用可能である。第２プロトコルは、その他、独自のコマンド体系を持つ通信プロトコルを採用可能である。
【００１９】
学習処理部２３２は、制御要求に対する複数の機器群３からの応答に応じて、変換処理部２３１が生成する制御要求に関する戦略の学習のための処理を行う。条件判断部２３３は、変換処理部２３１による制御要求の生成における各条件を判断する。
【００２０】
記憶部２４は、メッセージテーブル２４１と、タスクテーブル２４２と、戦略テーブル２４３と、レジスタ２４４とを記憶する。記憶部２４は、補助記憶装置、主記憶装置等の記憶装置である。記憶部２４に記憶される各情報は、別個のハードウェアに記憶されてもよく、一体のハードウェアに記憶されてもよい。
【００２１】
メッセージテーブル２４１は、第１プロトコルにより第１通信部２１が受信したＤＲ要求毎のレコードである。メッセージテーブル２４１は、例えば図２に示すように、送信元、宛先、要求調整電力量、要求対象候補等の情報を含む。送信元のＡ及び宛先のＧは、それぞれアグリゲータ１及びゲートウェイ装置２の識別子を意味する。要求調整電力量は、調整を要求する電力量を意味する。要求対象候補は、複数の機器群３のうち要求対象となり得る機器群３を意味する。
【００２２】
例えば、図２の１行目に示す例において、アグリゲータ１が送信したＤＲ要求は、Ｂ１〜６が示す６つの機器群３の少なくともいずれかの制御により、使用電力量１０ｋＷの調整を要求するメッセージであることを意味する。
【００２３】
タスクテーブル２４２は、図３に示すように、ゲートウェイ装置２の処理部２３が実行中のタスクを記録する。図３は図２に対応しており、アグリゲータ１から受信したＤＲ要求に応じた各タスクが実行中であることを意味する。
【００２４】
戦略テーブル２４３は、図４に示すように、要求対象候補と、要求調整電力量と、要求対象及び要求対象への制御コマンドからなる少なくとも１つの要求情報とが、それぞれ互いに関連付けられた複数の要求パターンを、所定の優先順位毎に予め記録する。要求対象は、複数の機器群３のうち制御要求の対象となる機器群３である。
【００２５】
レジスタ２４４は、ゲートウェイ装置２が送受信する情報を記憶する一時記憶域である。その他、レジスタ２４４は、処理部２３が行う演算に必要な一時記憶域として使用されてもよい。
【００２６】
変換処理部２３１は、第１通信部２１がＤＲ要求を受信したことに応じて、第１通信部２１により受信された要求調整電力量及び要求対象候補に整合する要求パターンを、戦略テーブル２４３から検索する。変換処理部２３１は、検索された要求パターンのうち、優先順位が最上位の要求パターンを特定し、特定した要求パターンから要求情報を抽出する。変換処理部２３１は、要求パターンから抽出される要求情報毎に、要求情報を含む制御要求を生成する。
【００２７】
第２通信部２２は、変換処理部２３１により生成された制御要求を、第２プロトコルにより、制御要求に含まれる要求情報が示す要求対象である機器群３に送信する。また、第２通信部２２は、送信した制御要求に対する応答を、要求対象である機器群３から受信する。第２通信部２２は、複数の機器群３にそれぞれ通信可能に接続される。
【００２８】
学習処理部２３２は、第２通信部２２により受信された制御要求に対する機器群３からの応答に基づいて、戦略テーブル２４３の、変換処理部２３１により特定された要求パターンの優先順位を変更する。
【００２９】
複数の機器群３は、それぞれ、コントローラ３１と、複数の機器３２とを備える。機器群３は、機器３２の使用電力量、発電電力量等をコントローラ３１により管理するエネルギーマネジメントシステム（ＥＭＳ）である。機器３２は、冷暖房機器、照明装置、給湯器等の負荷機器や、太陽電池、蓄電池等の電源機器の他、スマートメータ等から構成される。
【００３０】
各コントローラ３１は、ゲートウェイ装置２から送信された制御要求を受信する。コントローラ３１は、受信した制御要求に応じて、要求期間が示す期間において、管理する機器３２を制御することにより、電力量を調整する。各コントローラ３１は、調整を予定する電力量である予定調整電力量を含む制御応答を、制御要求に対する応答としてゲートウェイ装置２に送信する。
【００３１】
−デマンドレスポンスシステムの動作−
以下、図５のフローチャート及び図６のシーケンス図を参照して、本実施の形態に係るデマンドレスポンスシステムの動作の一例を説明する。
【００３２】
先ず、アグリゲータ１の処理部１２は、電力会社４の管理装置４１から電力量調整要求を受信することに応じて、ステップＳ１１において、ＤＲ要求の設定に関する処理を開始する。ステップＳ１２において、処理部１２はデマンドレスポンスに関するタスクを起動する。処理部１２は、管理装置４１の電力量調整要求に応じて、要求調整電力量、要求対象候補及び要求期間等が指定されたＤＲ要求を生成する。ステップＳ１３において、通信部１１は、処理部１２により生成されたＤＲ要求を、第１プロトコルによりゲートウェイ装置２に送信する。
【００３３】
図６に示す例において、アグリゲータ１は、ステップＳ２０１において、第１プロトコルＰ１により、自身の識別子Ａ１、要求対象候補の識別子Ｂ１〜３及び要求調整電力量Δ２が指定されたＤＲ要求をゲートウェイ装置２に送信する。
【００３４】
ステップＳ２０１において、ゲートウェイ装置２の第１通信部２１は、第１プロトコルによりアグリゲータ１から送信されたＤＲ要求を受信する。ステップＳ２０２において、処理部２３は、第１通信部２１がアグリゲータ１からＤＲ要求を受信したことに応じて、デマンドレスポンスに関するタスクＧｔｏＢ１〜３を起動し、起動したタスクをタスクテーブル２４２に記録する。
【００３５】
ステップＳ２０３において、処理部２３は、タスクテーブル２４２を参照し、実行中のタスクを特定する。ステップＳ２０４において、変換処理部２３１は、戦略テーブル２４３を参照し、ステップＳ２０３において特定されたタスクに対応する要求パターンを検索する。すなわち、変換処理部２３１は、ステップＳ２０１において第１通信部２１が受信したＤＲ要求に指定された要求調整電力量及び要求対象候補に整合する要求パターンを検索する。
【００３６】
ステップＳ２０５において、変換処理部２３１は、ステップＳ２０４において検索された要求パターンのうち、優先順位が最上位の要求パターンを特定し、特定した要求パターンから要求情報を抽出する。変換処理部２３１は、要求パターンから抽出される要求情報毎に、要求情報を含む制御要求を生成する。
【００３７】
例えば、図６に示すように、変換処理部２３１は、ステップＳ２０１において第１通信部２１が受信したＤＲ要求に指定された要求調整電力量Δ２及び要求対象候補Ｂ１〜３に整合する要求パターンを検索する。図８に示すような戦略テーブル２４３の場合、変換処理部２３１は、ステップＳ２０５において、整合する要求パターンとして２行目及び３行目の要求パターンを検索結果とし、優先順位がその中で最上位となる２行目の要求パターンを特定する。変換処理部２３１は、特定した要求パターンから抽出される要求情報｛Ｂ１，ｃｏｍ２｝、｛Ｂ２，ｃｏｍ３｝毎に、要求情報｛Ｂ１，ｃｏｍ２｝、｛Ｂ２，ｃｏｍ３｝を含む制御要求を生成する。
【００３８】
ステップＳ２０６において、第２通信部２２は、変換処理部２３１により生成された制御要求を、第２プロトコルにより、制御要求に含まれる要求情報が示す要求対象である機器群３に送信する。変換処理部２３１は、第２通信部２２が送信する制御要求をレジスタ２４４に記憶させる。
【００３９】
例えば、図６に示す例において、第２通信部２２は、ステップＳ２０６において、第２プロトコルＰ２により、識別子Ｂ１，Ｂ２をそれぞれ有する機器群３に、それぞれ要求情報｛Ｂ１，ｃｏｍ２｝、｛Ｂ２，ｃｏｍ３｝を含む制御要求を含む制御要求を送信する。なお、制御要求は、制御要求がどのタスクにより作成されたかを示す識別子（図６ステップＳ２０６においてＢ１〜３と表示）を含む。
【００４０】
ステップＳ３１において、機器群３のコントローラ３１は、ゲートウェイ装置２から送信された制御要求を受信する。ステップＳ３２において、コントローラ３１は、受信した制御要求に応じて、予定調整電力量を自動的に算出し、予定調整電力量を含む制御応答を生成する。ステップＳ３３において、コントローラ３１は、ステップＳ３２において生成した制御応答を、制御要求に対する応答として、第２プロトコルによりゲートウェイ装置２に送信する。なお、制御応答は、制御要求に含まれていたタスクの識別子を含む。
【００４１】
ステップＳ２０７において、ゲートウェイ装置２の第２通信部２２は、送信した制御要求に対する制御応答を、要求対象である機器群３から受信する。ステップＳ２０８において、変換処理部２３１は、レジスタ２４４を参照し、ステップＳ２０７において第２通信部２２が受信した制御応答が、いずれのタスクにおける制御要求に対する応答かを特定する。
【００４２】
ステップＳ２０９において、学習処理部２３２は、ステップＳ２０７において受信された制御応答に基づいて、戦略テーブル２４３の、ステップＳ２０５において特定された要求パターンの優先順位を変更する。
【００４３】
ステップＳ２１０において、処理部２３は、制御要求の再送処理をするか否かを判定する。例えば、処理部２３は、ステップＳ２０７において受信された制御応答が示す予定調整電力量の合計が、制御要求が示す要求調整電力量未満の場合において、再送処理をすると判定する。処理部２３は、再送処理をすると判定する場合、ステップＳ２０３に処理を戻し、再送処理をしないと判定する場合、ステップＳ２１１に処理を進める。
【００４４】
ステップＳ２１１において、第１通信部２１は、第１プロトコルにより、ＤＲ要求に対する応答であるＤＲ応答をアグリゲータ１に送信する。ＤＲ応答は、要求対象候補及びステップＳ２０７において受信された制御応答に含まれる予定調整電力量の合計を示す情報を含む。
【００４５】
ステップＳ１４において、アグリゲータ１の通信部１１は、送信したＤＲ要求に対するＤＲ応答を、第１プロトコルにより、ゲートウェイ装置２から受信する。アグリゲータ１は、受信したＤＲ応答に応じて、管理装置４１から受信した電力量調整要求に対する電力量調整応答を管理装置４１に送信する。
【００４６】
例えば、図６に示す例において、識別子Ｂ１，Ｂ２を有する機器群３が、ステップＳ３３において、それぞれ予定調整電力量Ｗを含む制御応答をゲートウェイ装置２に送信する。各機器群３は、予定調整電力量Ｗにリソース名Ｒｅｓ１，Ｒｅｓ２を付して、ゲートウェイ装置２に送信する。第１通信部２１は、ステップＳ２１１において、第１プロトコルにより、リソース名Ｒｅｓ１，２（Ｒｅｓ１及びＲｅｓ２）が付された合計の予定調整電力量Ｗを含むＤＲ応答をアグリゲータ１に送信する。
【００４７】
リソース名及び予定調整電力量について、図７のブロック図を例として説明する。図７に示すように、ある機器群３は、入出力（Ｉ／Ｏ）制御機器３２-1と、電力メータ機器３２-2と、負荷機器３２-3と、パワコン機器３２-4とをそれぞれ機器３２として備える。入出力制御機器３２-1、電力メータ機器３２-2、負荷機器３２-3及びパワコン機器３２-4は、それぞれ単数であっても複数であってもよい。負荷機器３２-3は、例えば、冷暖房機器、照明装置、給湯器等から構成され、系統電源の電力を消費する機器である。パワコン機器３２-4は、太陽光発電装置等に接続され、発電装置から入力される直流電力を交流電力に変換し、電力系統に出力する。
【００４８】
入出力制御機器３２-1は、コントローラ３１によるタイマー制御に応じて、例えば、電力系統と各負荷機器３２-3及びパワコン機器３２-4との間にそれぞれ接続された開閉器を制御する。これにより、入出力制御機器３２-1は、負荷機器３２-3の使用電力量及びパワコン機器３２-4の発電電力量を調整する。或いは、入出力制御機器３２-1は、負荷機器３２-3及びパワコン機器３２-4の駆動を直接的に制御するようにしてもよい。電力メータ機器３２-2は、負荷機器３２-3の使用電力量Ｗ及びパワコン機器３２-4の発電電力量Ｗを検出し、コントローラ３１に出力する。
【００４９】
コントローラ３１は、負荷機器３２-3による使用電力量Ｗ１と、パワコン機器３２-4による発電電力量Ｗ２に相当する予定調整電力量を算出し、予め記憶する対応するリソース名Ｒｅｓ１，Ｒｅｓ２を付与する。コントローラ３１は、リソース名Ｒｅｓ１，Ｒｅｓ２が付された制御応答に含めてゲートウェイ装置２に送信する。ゲートウェイ装置２は、合計の予定調整電力量Ｗ３＝Ｗ１＋（−Ｗ２）にリソース名Ｒｅｓ１，２を付与し、ＤＲ応答に含めてアグリゲータ１に送信する。
【００５０】
―学習処理について―
以下、ステップＳ２０９における学習処理部２３２の動作例について説明する。
例えば、図６に示す例においてステップＳ２０７において受信された制御応答に含まれる合計の予定調整電力量Ｗ３が要求調整電力量Δ２未満の場合、学習処理部２３２は、図９に示すように、変換処理部２３１が特定した要求パターンの優先順位を下げる。反対に、合計の予定調整電力量Ｗ３が要求調整電力量Δ２以上の場合、要求パターンの優先順位を上げるように戦略テーブル２４３を変更する。
【００５１】
このように、学習処理部２３２は、制御要求に対する制御応答に基づいて、戦略テーブル２４３の、変換処理部２３１により特定された要求パターンの優先順位を変更する。これにより、ゲートウェイ装置２は、制御要求を送信する際の戦略を向上することができ、プロトコル変換に関する処理負荷及びネットワークにおける通信トラフィックを低減することができる。
【００５２】
また、学習処理部２３２は、ステップＳ２０７において受信された制御応答毎に、戦略テーブル２４３の優先度を変更するようにしてもよい。例えば、学習処理部２３２は、各要求対象の予定調整電力量に対して期待値Ｅ（ΔＢ）を算出し、制御応答の予定調整電力量と比較することにより、優先度を変更する。期待値Ｅ（ΔＢ）は、例えば要求調整電力量Δの按分とすることができる。
【００５３】
或いは、学習処理部２３２は、図１０に示すように、過去に受信された制御応答毎に、制御要求に対する成功率を算出し、算出した成功率に基づいて、戦略テーブル２４３の優先順位を変更するようにしてもよい。成功率は、制御要求を送信した回数に対する制御要求の成功回数から算出することができ、制御要求の種類毎に算出される。例えば、学習処理部２３２は、要求調整電力量Δ毎に組み合わせた要求情報に対応する成功率が高い順に、優先順位を高くするように戦略テーブル２４３を変更する。
【００５４】
その他、学習処理部２３２は、算出した成功率に基づいて、戦略テーブル２４３の要求パターンを削除するようにしてもよい。例えば、学習処理部２３２は、算出した成功率閾値以下の要求パターンを削除するように戦略テーブル２４３を変更する。これにより、記憶部２４の使用容量が節減できる他、変換処理部２３１の処理負荷が低減する。
【００５５】
本実施の形態に係るデマンドレスポンスシステムによれば、ゲートウェイ装置に制御戦略を導入することにより、プロトコル変換に関する処理負荷及びネットワークにおける通信トラフィックを削減し、ＤＲ要求に対する効率を向上することができる。
【００５６】
また、本実施の形態に係るデマンドレスポンスシステムによれば、機器群３からの制御応答に基づいて、戦略テーブル２４３の優先順位を変更する。これにより、ゲートウェイ装置は、制御要求を送信する際の戦略を向上することができ、ＤＲ要求に対する効率を更に、向上することができる。
（その他の実施の形態）
【００５７】
上記のように、本実施の形態を記載したが、この開示から当業者には様々な代替実施の形態、実施例及び運用技術が明らかとなろう。
【００５８】
例えば、既に述べた実施の形態において、記憶部２４は、複数の機器群３の電力使用条件毎の複数の戦略テーブル２４３を予め記憶するようにしてもよい。電力使用条件は、例えば、季節、曜日、時間帯、天気予報等の時間的条件である。この場合、アグリゲータ１から送信された電力使用条件が指定されたＤＲ要求を第１通信部２１が受信すると、変換処理部２３１が、ＤＲ要求に指定された電力使用条件に合致する戦略テーブル２４３を特定する。変換処理部２３１は、特定した戦略テーブル２４３から、要求パターンを特定するようにすればよい。
【００５９】
また、既に述べた実施の形態において、アグリゲータ１は、電力会社４に含まれてもよく、他のゲートウェイ装置２として機能してもよい。
【００６０】
また、既に述べた実施の形態においては、ゲートウェイ装置２の各機能をコンピュータに実現させるためのプログラムを用いて実現されてもよい。すなわち、本実施の形態に係るデマンドレスポンスシステムの各機能をコンピュータに実現させるためのプログラムを含む。そのプログラムは、記録媒体から読み取られてコンピュータに取り込まれてもよく、ネットワークを介して伝送されてコンピュータに取り込まれてもよい。
【符号の説明】
【００６１】
１  アグリゲータ
２  ゲートウェイ装置
３  機器群
２１  第１通信部
２２  第２通信部
２４  記憶部
３２  機器
４１  管理装置
２３１  変換処理部
２３２  学習処理部
２３３  条件判断部
２４３  戦略テーブル
【図１】
2016192872.tif 000003
【図２】
2016192872.tif 000004
【図３】
2016192872.tif 000005
【図４】
2016192872.tif 000006
【図５】
2016192872.tif 000007
【図６】
2016192872.tif 000008
【図７】
2016192872.tif 000009
【図８】
2016192872.tif 000010
【図９】
2016192872.tif 000011
【図１０】
2016192872.tif 000012